(57)【要約】【課題】頭髪エステを受けることが店外および店内を通して他人に知られる心配のないない頭髪エステとエステの両者を一つの店舗で効率よくしかも経済的に行うことができるとともに、頭髪エステとエステを効率よく施術することを可能にする。【解決手段】  複数の頭髪エステ室２ａ，２ｂと、複数のエステ室３ａ，３ｂと、頭髪エステ室２ａ，２ｂを使用するかエステ室３ａ，３ｂを使用するかを選択するための受付カウンタ６とを有するとともに、頭髪エステ室２ａ，２ｂとエステ室３ａ，３ｂとが受付カウンタ６に通じる共通の通路４で連結されており、且つ複数のエステ室２ａ，２ｂおよび頭髪エステ室２ａ，２ｂの入口が同一の外観を呈し視覚においていずれの種類のエステを施術する室かを互いに区別不能とした。【選択図】  図２
2005248597.tif 000002
【特許請求の範囲】
【請求項１】
頭髪エステ用椅子を配置した複数の頭髪エステ室と、エステ台を配置した複数のエステ室と、前記頭髪エステ室を使用するかエステ室を使用するかを選択するための受付カウンタとを有するとともに、前記頭髪エステ室とエステ室とが前記受付カウンタに通じる共通の通路で連結されており、且つ前記複数のエステ室および頭髪エステ室の入口が同一の外観を呈し視覚においていずれの種類のエステを施術する室かが互いに区別不能であることを特徴とする総合エステ室の店舗構造。
【請求項２】
前記頭前記頭髪エステ室又はエステ室にて頭髪エステ又はエステ施術後に自身で整髪やメイクを行う仕上げ室を有し、前記仕上げ室が前記共通の通路に通じている請求項１記載の総合エステ室の店舗構造
【発明の詳細な説明】
【技術分野】
【０００１】
本発明は、頭髪エステ室とエステ室とを備えた総合エステ室の店舗構造に関するものである。
【背景技術】
【０００２】
従来、痩身や美顔などを目的とする通常のエステは一般的となり、男女を問わずに抵抗なく店舗に入れるようになってきたが、頭皮のマッサージや頭髪の滋養などの頭髪エステについては施術を受けていることを他人に知られたくない部分が多く、また、鬘業者などが併設している場合が多いこともあっても店に入る所を他人に見られたくないのが現状である。
【０００３】
また、頭髪エステとエステはそれぞれエステという観点からは共通性があり、これらを合わせて総合エステとして施術を受けたいという要望もあり、施術する側も一つの店舗で髪を含めて総合的なエステを行いたいという要望もある。
【０００４】
更に、従来の頭髪エステ店やエステ店は、頭髪エステやエステの施術でメイクや頭髪が崩れた場合に、仕上げを専門の理美容師に委ねることになり、そのための料金が加算されることになり、店舗側も資格を有する理美容師を配備する必要があり、両者にとって経済的な負担が生じる。
【発明の開示】
【発明が解決しようとする課題】
【０００５】
本発明が解決しようとする課題は、頭髪エステを受けることが店外および店内を通して他人に知られる心配のないない頭髪エステとエステの両者を一つの店舗で効率よくしかも経済的に行うことができるとともに、頭髪エステとエステを効率よく施術してもらうことが可能な総合エステ室の店舗構造を提供することである。
【課題を解決するための手段】
【０００６】
前記課題を解決するため、本発明である総合エステ室の店舗構造は、複数の頭髪エステ室と、複数のエステ室と、前記頭髪エステ室を使用するかエステ室を使用するかを選択するための受付カウンタとを有するとともに、前記頭髪エステ室とエステ室とが前記受付カウンタに通じる共通の通路で連結されており、且つ前記複数のエステ室および頭髪エステ室の入口が同一の外観を呈し視覚においていずれの種類のエステを施術する室かが互いに区別不能であることを特徴とする。
【０００７】
また、前記共通の通路に通じる前記頭髪エステ室又はエステ室にて行われる施術のメニューを決めるためのカウンセリング室、頭髪エステ又はエステ施術後に自身で整髪やメイクを行う仕上げ室、スタッフ室、待合室を有すると更に便利であり、効率がよい。
【発明の効果】
【０００８】
頭髪エステ用椅子を配置した複数の頭髪エステ室と、エステ台を配置した複数のエステ室とを一つの建物内に配置するとともに、受付カウンタで頭髪エステ室を使用するかエステ室を使用するかあるいは両方を使用するかを選択した後、共通の通路で連結されているいずれも互いに視覚により判別できない入り口の室に通されるので他人から見て頭髪エステ室に入ったのかまたはエステ室に入ったのかが区別できない。また、両者を使用する場合にも共通の通路を通って行き来することができる。殊に、頭髪エステをエステと同時に行うこともできるので。
【０００９】
また、混雑時には客は共通の待合室で待機すればよく、逆に頭髪エステ師、エステテシャンは共通の待機室で待機したり休憩することができる。
【００１０】
更に、頭髪エステ室又はエステ室にて頭髪エステ又はエステ施術後に仕上げ室において自身で整髪やメイクを行うことができる。
【発明を実施するための最良の形態】
【００１１】
次に、本発明を実施するための最良の形態について説明する。
【００１２】
図１および図２は本発明の好ましい実施の形態を示すものであり、一つの建物のワンフロアーに、頭髪エステ用椅子２１を配置した複数の頭髪エステ室２ａ，２ｂと、エステ台３１を配置した複数のエステ室３ａ，３ｂがそれらの扉２２，３２側の前面に配置した共通の通路４により連結されている。つまり、共通の通路４を通って頭髪エステ室２ａ，２ｂおよびエステ室３ａ，３ｂへの出入りが可能に配置されている。また、複数の頭髪エステ室２ａ，２ｂと複数のエステ室３ａ，３ｂとは正面入口において入口、つまり、同一の壁面に同一扉２または３が配置されて同一の外観を呈し視覚においていずれの種類のエステを施術する室かが区別できない。
【００１３】
そして、共通の通路４の前方（図で示す左側）に位置する建物１の出入口５（つまり、店舗の入口）方向には、受付カウンター６が配置されており、更に、この受付カウンター６の側方には待合室７とカウンセリング室８とが並設されている。
【００１４】
更にまた、カウンセリング室８の隣には頭髪エステ室２ａ，２ｂ又はエステ室３ａ，３ｂにて頭髪エステ又はエステ施術後に自身で整髪やメイクを行うたための仕上げ室９、トイレ１０およびスタッフ室１１が前記共通の通路４を挟んで前記頭髪エステ室２ａ，２ｂおよびエステ室３ａ，３ｂに対峙して配置されている。
【００１５】
次に。以上の構成を有する本実施の形態は、まず、客は建物１の出入口５（つまり、店舗の入口）から店内に入る。店内に入った所に受付カウンター６が配置されており、ここで、受付者が客の来店の目的、即ち、頭髪エステを望むのかエステを望むのか或いは両者を望むのかを選択させ、スタッフ室１１に待機している専用のスタッフに引き継ぐ。尚、要望のあるスタッフが施術中や頭髪エステ室２ａ，２ｂおよびエステ室３ａ，３ｂが使用中の場合には、待合室７に案内して待機してもらう。
【００１６】
次に、頭髪エステまたはエステの担当者が共通の通路４を使って客をカウンセリング室８に案内し、カウンセリングを行い施術のメニューを決定する。このとき、例えばカウンセリングシートに必要事項を記載してもらい担当者と質疑応答をして定めることもできるし、予めデータを蓄積させたコンピューターを用いてもよい。このカウンセリングは、客が選択した頭髪エステまたはエステを施術するための頭髪エステ室２ａ，２ｂまたはエステ室３ａ，３ｂが満室の場合には、その間に行っておくことにより客および施術者の両者にとって時間の節約が図れる。
【００１７】
そして、次に、メニューが決定したら、カウンセリング室８に続く共通の通路４を介して頭髪エステ室２ａ，２ｂおよびエステ室３ａ，３ｂのいずれかに案内するが、本実施の形態では、複数の頭髪エステ室２ａ，２ｂと複数のエステ室３ａ，３ｂとは正面入口において同一の外観を呈し視覚においていずれの種類のエステを施術する室かが区別できないものであり、店内で他人や知人などに頭髪エステを施術するのか通常のエステを施術するのかがわからないので安心して施術を受けることができる。
【００１８】
次に、各頭髪エステ室２ａ，２ｂおよびエステ室３ａ，３ｂ内で所望の施術が行われた後、客は、急ぐ場合は直ぐに受付カウンター６において料金を支払って帰路に着くが、一旦、共通の通路４を通って仕上げ室９に行き自身で整髪やメイクを行うたための仕上げを行った後に精算してもよい。特に、頭髪エステを施術した客はメイクが崩れたりするので再度メイクを施し、エステを施術した客は整髪を含めてメイクが必要な場合が多いのでこれらを施した後に店を出ることによりそのまま目的地に出掛けることができるのできわめて便利であるが、このときも客は同様の外観を呈する出入り口から出でくるのでいやな思いをする心配がない。
【００１９】
尚、前記仕上げ室９には、ドレッサー、ドライヤー、ブラシ、化粧セット、整髪セットなどを衛生的な手段により保管しておき自由に使用してもらうとよく、必要であれば専門のアドバイザーを配属しておいてもよい。
【００２０】
また、受付カウンター６では使用した化粧品を販売したり次回の予約をしたりすることもできる。
【００２１】
以上のように本実施の形態では、複数の頭髪エステ室２ａ，２ｂまたはエステ室３ａ，３ｂとを共通の通路４により連結されているとともに、共通の通路４には受付カウンター６や待合室９やカウンセリング室８が通じているので１つの建物（店舗）１において有効に且つ効率よく頭髪エステ及びエステを施術することができるので、それぞれの店舗を構える場合に比べて少ない設備と人員で営業することが可能であり、きわめて経済的に優れているばかりか、お客にとってもその店舗に行けば頭髪エステ及びエステ更にはその両方を施術してもらうことができるので時間や経費の節約ができて便利である。
【００２２】
尚、本実施の形態は、ワンフロアーの場合を示したが、本発明はワンフロアーに限るものでなく、複数階の建物についても同様に実施することができることはいうまでもない。
【００２３】
更に、本実施の形態では比較的小規模な店舗の場合を示したので、店舗内の連絡や案内、更には各種の伝達などについて紙面や人手を介して行うことで経済的な運営をはかることが可能であるが、規模によっては電子的な伝達方式やデーター処理を行うことにより効率よく運営することも可能である。
【００２４】
更にまた、本実施の形態では頭髪エステ室２ａ，２ｂに頭髪エステ用椅子２１を配置して頭髪エステするものであり、頭髪エステを含めて全身のエステを施術することができ、メイクや頭髪エステが乱れた場合には仕上げ室９に行き自身で整髪やメイクを行うことが可能であることから特に理容師や美容師を必要としない。
【図面の簡単な説明】
【００２５】
【図１】本発明の好ましい実施の形態を示す平面配置図。
【図２】図１に示した実施の形態のＡ−Ａ線に沿う立面図。
【符号の説明】
【００２６】
１  建物、  ２ａ，２ｂ  頭髪エステ室、  ３ａ，３ｂ  エステ室、  ４  共通の通路、  ６  受付カウンター、  ７  待合室、  ８  カウンセリング室、  ９  仕上げ室、  １１  スタッフ室、  ２１  頭髪エステ用椅子、  ３１  エステ台
【図１】
2005248597.tif 000003
【図２】
2005248597.tif 000004